(57)【要約】【課題】広範な出力周波数範囲と良好なＣ／Ｎ特性を持つ周波数シンセサイザを提供する。【解決手段】基準周波数発振器１、位相比較器２、ループフィルタ３、制御感度の高い第１の制御電圧端子６と制御感度の低い第２の制御電圧端子７とを備えた電圧制御発振器４、分周器５、第１及び第２の制御電圧端子６、７を切り替える切替スイッチ８を備えてＰＬＬが構成される。切替スイッチ８は、ＰＬＬ位相引き込み動作時にはループフィルタ３と第１の制御電圧端子６とを接続するように切り替え、位相引き込み課程で幅広い周波数範囲をカバーできるようにする。また、位相ロック後はループフィルタ３と第２の制御電圧端子７とを接続するように切り替え、良好なＣ／Ｎ特性を安定して得られるようにする。【選択図】  図１
2004282223.tif 000002
【特許請求の範囲】
【請求項１】
基準周波数を発振出力する基準周波数発振器と、
制御電圧端子に印加される電圧に応じた周波数の信号を発振出力する電圧制御発振器と、
前記電圧制御発振器の発振周波数を分周する分周器と、
前記基準周波数発振器の出力と前記分周器の出力の位相を比較して位相差に応じた位相差信号を出力する位相比較器と、
前記位相差信号を平滑化するフィルタ手段とを備え、前記フィルタ手段の出力を前記電圧制御発振器の前記制御電圧端子に入力して前記分周器の分周比に応じた周波数の出力信号を得る周波数シンセサイザであって、
前記電圧制御発振器は、制御感度の高い第１の制御電圧端子と、制御感度の低い第２の制御電圧端子とを備え、
前記第１の制御電圧端子と前記第２の制御電圧端子のそれぞれに入力される電圧を保持する電圧保持手段と、
前記位相比較器から前記フィルタ手段を経て前記第１の制御電圧端子及び前記第２の制御電圧端子に至る信号経路を切り替える切替手段と、
を備えた周波数シンセサイザ。
【請求項２】
前記切替手段は、前記フィルタ手段の出力端と前記第１の制御電圧端子または前記第２の制御電圧端子とをいずれかに切り替えて接続するもので、
前記電圧制御発振器の位相引き込み動作時には前記フィルタ手段と前記第１の制御電圧端子とを接続し、前記電圧制御発振器の位相ロック後は前記フィルタ手段と前記第２の制御電圧端子とを接続するように切り替える請求項１に記載の周波数シンセサイザ。
【請求項３】
前記第２の制御電圧端子に入力される電圧の初期値を設定するもので、前記切替手段と連動して前記電圧の初期値を切替可能な電圧設定手段を備えた請求項１または２に記載の周波数シンセサイザ。
【請求項４】
前記電圧設定手段の切替動作タイミングが、前記切替手段の切り替えタイミングから一定時間後である請求項３に記載の周波数シンセサイザ。
【請求項５】
前記基準周波数発振器の出力と前記分周器の出力を比較して位相ロック状態を検出する位相ロック検出手段を備えた請求項１ないし４のいずれかに記載の周波数シンセサイザ。
【請求項６】
前記フィルタ手段の時定数を変更する時定数制御手段を備えた請求項１ないし５のいずれかに記載の周波数シンセサイザ。
【請求項７】
前記時定数制御手段は、前記切替手段の切り替えタイミングから一定時間後に、前記フィルタ手段の時定数を変更するものである請求項６に記載の周波数シンセサイザ。
【請求項８】
前記切替手段は、前記フィルタ手段の出力端と前記第２の制御電圧端子とを接続するとともに、前記フィルタ手段の出力端と前記第１の制御電圧端子とを接続するか否かを切り替えるもので、
前記電圧制御発振器の位相引き込み動作時には前記フィルタ手段と前記第１の制御電圧端子及び前記第２の制御電圧端子とを接続し、前記電圧制御発振器の位相ロック後は前記フィルタ手段と前記第２の制御電圧端子のみとを接続するように切り替える請求項１に記載の周波数シンセサイザ。
【請求項９】
前記フィルタ手段は、時定数の異なる第１のフィルタと第２のフィルタとを有し、前記第１のフィルタの出力端は前記第１の制御電圧端子に、前記第２のフィルタの出力端は前記第２の制御電圧端子に接続され、
前記切替手段は、前記位相比較器の出力端と前記第１のフィルタの入力端または前記第２のフィルタの入力端とをいずれかに切り替えて接続するもので、
前記電圧制御発振器の位相引き込み動作時には前記位相比較器と前記第１のフィルタとを接続し、前記電圧制御発振器の位相ロック後は前記位相比較器と前記第２のフィルタとを接続するように切り替える請求項１に記載の周波数シンセサイザ。
【請求項１０】
前記電圧保持手段は、前記第１の制御電圧端子と前記第２の制御電圧端子の少なくとも一方と接地電位との間における電荷を保持する容量型素子により構成される請求項１に記載の周波数シンセサイザ。
【請求項１１】
前記電圧保持手段は、前記第１の制御電圧端子と前記第２の制御電圧端子の少なくとも一方に印加される電圧値をディジタル値に変換するＡ／Ｄ変換部と、前記ディジタル値に変換された電圧値を記憶する記憶部と、前記記憶されたディジタル値をアナログの電圧値に変換するＤ／Ａ変換部とを有して構成される請求項１に記載の周波数シンセサイザ。
【請求項１２】
請求項１ないし１１のいずれかに記載の周波数シンセサイザを備えた無線通信装置。
【発明の詳細な説明】
【０００１】
【発明の属する技術分野】
本発明は、主に無線または有線の通信装置の周波数選択部等において用いられる周波数シンセサイザに関する。
【０００２】
【従来の技術】
従来、無線または有線の通信装置等において、送受信の周波数の選択を行うために周波数シンセサイザを用いている。携帯電話装置のような移動無線装置の場合、周波数シンセサイザは、発振器の基準周波数から任意の局部発振周波数を生成するために使用される。
【０００３】
従来のＰＬＬ（Ｐｈａｓｅ  Ｌｏｃｋｅｄ  Ｌｏｏｐ）による周波数シンセサイザの構成例を図７に示す。この従来例の周波数シンセサイザは、基準周波数を発振出力する基準周波数発振器５１と、制御電圧端子に印加される電圧（以下、Ｖｔと記す）に応じた周波数の信号を発振するＶＣＯ５４と、チャネルデータにより設定される分周比でＶＣＯ５４の発振周波数（以下、ｆＶＣＯと記す）を分周する分周器５５と、基準周波数発振器５１の出力信号（以下、ｆｒｅｆと記す）と分周器５５から出力される信号（以下、ｆｄｉｖと記す）との位相を比較して位相差に応じた信号を出力する位相比較器５２と、位相比較器５２の出力信号を平滑化してＶＣＯ５４の制御電圧端子に直流電圧を出力するループフィルタ５３とを有して構成される。
【０００４】
上記構成において、位相比較器５２は、基準周波数発振器５１の出力信号ｆｒｅｆに対して分周器５５の出力信号ｆｄｉｖが位相遅れである場合、ループフィルタ５３に電荷を充電し、ＶＣＯ５４の制御電圧端子電圧Ｖｔが上がることによって発振周波数ｆＶＣＯが高くなる。逆に、ｆｒｅｆに対してｆｄｉｖが位相進みである場合は、ループフィルタ５３から電荷を放電し、Ｖｔが下がることによってｆＶＣＯが低くなる。
【０００５】
このように、周波数シンセサイザは負帰還ループを構成しており、最終的にｆｒｅｆとｆｄｉｖの位相が一致したところで位相ロックし、ＶＣＯ５４の出力周波数が安定する。ここで、ＶＣＯ５４の発振周波数ｆＶＣＯを変更するために、分周器５５の分周比を変えてから位相ロックするまでの状態を引き込み過程、引き込み過程を開始してから位相ロックまでの時間をロックアップタイムと呼ぶ（例えば、非特許文献１参照）。
【０００６】
【非特許文献１】
小沢利行、「ＰＬＬ周波数シンセサイザ・回路設計法」第３版、総合電子出版社、１９９８年５月３０日、ｐ．１０−１１
【０００７】
【発明が解決しようとする課題】
移動体通信の分野では、複数の周波数帯を適宜切り替えて使用することがあるが、このため非常に広い周波数範囲に対応したＶＣＯが必要である。また、周波数シンセサイザの小型化、低コスト化のために、回路をワンチップのＩＣに集積化する場合、ＶＣＯを構成する各素子の製造ばらつきによって発振周波数が大きく変化するので、これを吸収するためにも非常に広い周波数範囲に対応したＶＣＯが必要である。
【０００８】
しかしながら、従来の周波数シンセサイザにおいて、ＶＣＯを広い周波数範囲に対応させるためには、ＶＣＯの制御感度（制御電圧の変化に対するＶＣＯの周波数変化幅、単位はＨｚ／Ｖ）を高くする必要があるが、制御感度を高くすると制御電圧に重畳される外乱ノイズによってＣ／Ｎ（Ｃａｒｒｉｅｒ  ｔｏ  Ｎｏｉｓｅ  ｒａｔｉｏ）が悪化してしまうという課題がある。
【０００９】
また、上記課題を解決するために、ＶＣＯの並列共振回路に容量の異なる複数のコンデンサを接続し、これらを選択的に切り換えることにより周波数帯域を切り替え、広い周波数範囲をカバーする方法があるが、寄生容量が増大するなどの要因によって共振器のＱ値が下がり、Ｃ／Ｎ特性が悪化してしまうという新たな課題が生じる。
【００１０】
本発明は、上記課題を解決するためになされたもので、その目的は、広範な出力周波数範囲と良好なＣ／Ｎ特性を持つ周波数シンセサイザを提供することにある。
【００１１】
【課題を解決するための手段】
本発明に係る周波数シンセサイザは、基準周波数を発振出力する基準周波数発振器と、制御電圧端子に印加される電圧に応じた周波数の信号を発振出力する電圧制御発振器と、前記電圧制御発振器の発振周波数を分周する分周器と、前記基準周波数発振器の出力と前記分周器の出力の位相を比較して位相差に応じた位相差信号を出力する位相比較器と、前記位相差信号を平滑化するフィルタ手段とを備え、前記フィルタ手段の出力を前記電圧制御発振器の前記制御電圧端子に入力して前記分周器の分周比に応じた周波数の出力信号を得る周波数シンセサイザであって、前記電圧制御発振器は、制御感度の高い第１の制御電圧端子と、制御感度の低い第２の制御電圧端子とを備え、前記第１の制御電圧端子と前記第２の制御電圧端子のそれぞれに入力される電圧を保持する電圧保持手段と、前記位相比較器から前記フィルタ手段を経て前記第１の制御電圧端子及び前記第２の制御電圧端子に至る信号経路を切り替える切替手段と、を備えたものである。
【００１２】
上記構成により、制御感度の異なる複数の制御電圧端子と、位相差信号を前記複数の制御電圧端子に選択的に入力する切替手段とを設け、例えば、ＰＬＬによる位相の引き込み過程では制御感度の高い第１の制御電圧端子を用いることによって、幅広い周波数範囲をカバーすることが可能となる。また、例えば、位相ロック後は、制御感度の低い第２の制御電圧端子を用いることにより、良好なＣ／Ｎ特性を安定して得ることが可能となる。
【００１３】
また、本発明は、前記切替手段が、前記フィルタ手段の出力端と前記第１の制御電圧端子または前記第２の制御電圧端子とをいずれかに切り替えて接続するもので、前記電圧制御発振器の位相引き込み動作時には前記フィルタ手段と前記第１の制御電圧端子とを接続し、前記電圧制御発振器の位相ロック後は前記フィルタ手段と前記第２の制御電圧端子とを接続するように切り替えるものを含む。
【００１４】
上記構成によれば、位相の引き込み過程では制御感度の高い第１の制御電圧端子を用いることによって幅広い周波数範囲をカバーすることができ、位相ロックして周波数が安定した後は、制御感度の低い第２の制御電圧端子を用いることにより、良好なＣ／Ｎ特性を安定して得ることが可能となる。
【００１５】
また、本発明は、前記第２の制御電圧端子に入力される電圧の初期値を設定するもので、前記切替手段と連動して前記電圧の初期値を切替可能な電圧設定手段を備えたものを含む。
【００１６】
上記構成によれば、例えば、搭載する通信装置のチャネル切り替え時若しくはスリープ解除時などには、電圧設定手段によって初期値を設定することにより、常に第２の制御電圧端子に印加される制御可能な電圧範囲の中心電圧で位相ロックすることが可能となる。これにより、第２の制御電圧端子の制御感度をより低く設定することが可能となり、より良好なＣ／Ｎ特性を得ることができる。
【００１７】
また、本発明は、前記電圧設定手段の切替動作タイミングが、前記切替手段の切り替えタイミングから一定時間後であるものを含む。
上記構成によれば、切替手段の切り替え時に発生するフィルタ手段の電荷の充放電を強制的に行うことができるので、位相ロックするまでのロックアップタイムを短縮することが可能となる。
【００１８】
また、本発明は、前記基準周波数発振器の出力と前記分周器の出力を比較して位相ロック状態を検出する位相ロック検出手段を備えたものを含む。
上記構成によれば、位相ロックを検出した直後に制御電圧端子を切り替えることができるので、より高速に短時間で良好なＣ／Ｎ特性を得ることが可能となる。
【００１９】
また、本発明は、前記フィルタ手段の時定数を変更する時定数制御手段を備えたものを含む。
上記構成によれば、例えば、位相の引き込み過程においてはＰＬＬの負帰還ループの周波数帯域を広くし、周波数安定後は前記周波数帯域を狭くすることにより、位相ロックするまでのロックアップタイムを短縮できると共に、良好なＣ／Ｎ特性を得ることが可能となる。
【００２０】
また、本発明は、前記時定数制御手段が、前記切替手段の切り替えタイミングから一定時間後に、前記フィルタ手段の時定数を変更するものであるものを含む。
上記構成によれば、切替手段を切り替えた際の過渡的な電荷の充放電を短時間で収束させることができるので、ロックアップタイムをさらに短縮することが可能となる。
【００２１】
また、本発明は、前記切替手段が、前記フィルタ手段の出力端と前記第２の制御電圧端子とを接続するとともに、前記フィルタ手段の出力端と前記第１の制御電圧端子とを接続するか否かを切り替えるもので、前記電圧制御発振器の位相引き込み動作時には前記フィルタ手段と前記第１の制御電圧端子及び前記第２の制御電圧端子とを接続し、前記電圧制御発振器の位相ロック後は前記フィルタ手段と前記第２の制御電圧端子のみとを接続するように切り替えるものを含む。
【００２２】
上記構成によれば、位相ロック時における第１の制御電圧端子と第２の制御電圧端子の電位が等しくなるので、切替手段による切り替え時に電荷の充放電が起こることがなく、ロックアップタイムをさらに短縮することが可能となる。
【００２３】
また、本発明は、前記フィルタ手段が、時定数の異なる第１のフィルタと第２のフィルタとを有し、前記第１のフィルタの出力端は前記第１の制御電圧端子に、前記第２のフィルタの出力端は前記第２の制御電圧端子に接続され、前記切替手段が、前記位相比較器の出力端と前記第１のフィルタの入力端または前記第２のフィルタの入力端とをいずれかに切り替えて接続するもので、前記電圧制御発振器の位相引き込み動作時には前記位相比較器と前記第１のフィルタとを接続し、前記電圧制御発振器の位相ロック後は前記位相比較器と前記第２のフィルタとを接続するように切り替えるものを含む。
【００２４】
上記構成によれば、時定数の異なるフィルタを切り替えることで、例えば、位相の引き込み過程と位相ロック後とでＰＬＬの負帰還ループの周波数帯域を変えることが可能となり、高速なロックアップタイムと、良好なＣ／Ｎ特性とを得ることが可能となる。
【００２５】
また、本発明は、前記電圧保持手段が、前記第１の制御電圧端子と前記第２の制御電圧端子の少なくとも一方と接地電位との間における電荷を保持する容量型素子により構成されるものを含む。
上記構成によれば、電圧保持手段としてコンデンサ等の容量型素子を用いることにより、周波数シンセサイザの回路規模を縮小できる。
【００２６】
また、本発明は、前記電圧保持手段が、前記第１の制御電圧端子と前記第２の制御電圧端子の少なくとも一方に印加される電圧値をディジタル値に変換するＡ／Ｄ変換部と、前記ディジタル値に変換された電圧値を記憶する記憶部と、前記記憶されたディジタル値をアナログの電圧値に変換するＤ／Ａ変換部とを有して構成されるものを含む。
上記構成によれば、切替手段が第２の制御電圧端子を選択した後も、電圧保持手段において第１の制御電圧端子の電位を長時間保持することが可能となる。このため、第２の制御電圧端子の制御感度をより低く設定することにより、さらに良好なＣ／Ｎ特性を得ることができる。
【００２７】
また、本発明は、上記いずれかに記載の周波数シンセサイザを備えた無線通信装置を提供する。
上記構成によれば、無線通信装置において上記の周波数シンセサイザを搭載することで、待ち受け時間が長く、小型かつ安価で、通信品質の良好な移動無線装置や無線基地局装置等を実現できる。
【００２８】
【発明の実施の形態】
以下、図面を参照して本発明の実施形態を説明する。
（第１実施形態）
図１は、本発明の第１実施形態に係る周波数シンセサイザの構成を示すブロック図である。本実施形態の周波数シンセサイザは、基準周波数発振器１、位相比較器２、ループフィルタ３、ＶＣＯ（電圧制御発振器）４、分周器５、第１の制御電圧端子６、第２の制御電圧端子７、切替スイッチ８、コンデンサ９、１０をを備え、ＰＬＬ（Ｐｈａｓｅ  Ｌｏｃｋｅｄ  Ｌｏｏｐ）の負帰還ループが構成されている。
【００２９】
基準周波数発振器１は、所定の基準周波数ｆｒｅｆを発振出力する。ＶＣＯ４は、制御電圧端子に印加される電圧に応じた周波数の信号を発振出力する。分周器５は、通信周波数の情報を含むチャネルデータにより設定される分周比でＶＣＯ４の発振周波数を分周する。位相比較器２は、基準周波数発振器１の出力信号と分周器５の出力信号の位相を比較して位相差信号を出力する。ループフィルタ３は、前記位相差信号を平滑化して直流電圧を出力するフィルタ手段に相当するもので、この直流電圧はＶＣＯ４の制御電圧端子に入力される。
【００３０】
本実施形態では、ＶＣＯ４には、制御感度の高い第１の制御電圧端子６と、制御感度の低い第２の制御電圧端子７とが設けられている。切替スイッチ８は、切替手段に相当するもので、前記位相差信号を第１の制御電圧端子６と第２の制御電圧端子７のいずれかに切り替えて出力する。ここで、第１及び第２の制御電圧端子６、７には、電圧保持手段に相当するコンデンサ９、１０の一端がそれぞれ接続され、これらのコンデンサ９、１０の他端は接地電位に接続されている。
【００３１】
次に、上記のように構成された本実施形態の周波数シンセサイザの動作について、図２を用いて説明する。図２は、ＰＬＬの引き込み動作におけるＶＣＯ４の周波数−制御電圧特性を示す特性図である。この図２において、（２）は制御電圧が第１の制御電圧端子６へ印加される制御電圧Ｖｔ１のみの場合の制御特性、（４）は制御電圧が第２の制御電圧端子７へ印加される制御電圧Ｖｔ２のみの場合の制御特性を示している。
【００３２】
まず、チャネルデータが分周器５に入力され、チャネルデータによりある周波数への位相ロックの要求がなされると、切替スイッチ８は第１の制御電圧端子６を選択する。これによって第２の制御電圧端子７は開放され、第２の制御電圧端子７の制御電圧Ｖｔ２はコンデンサ１０の充電電圧Ｖａに固定される。
【００３３】
この周波数シンセサイザにおけるＰＬＬの引き込み動作は、第１の制御電圧端子６に印加される制御電圧Ｖｔ１を用いて行われる。引き込み過程では第２の制御電圧端子７の制御電圧Ｖｔ２が固定となるので、２つの制御電圧Ｖｔ１、Ｖｔ２による制御特性の合成は、図２の（１）で表される特性となる。したがって、ＶＣＯ４は図２の（１）に示す制御感度の高い制御特性で位相ロックされる。
【００３４】
ＶＣＯ４が位相ロックされた後、切替スイッチ８は第２の制御電圧端子７を選択する。このとき、第１の制御電圧端子６の制御電圧Ｖｔ１はコンデンサ９によって位相ロック時の充電電圧Ｖｂに固定される。その後は、図２の（３）に示す第２の制御電圧端子７による制御感度の低い制御特性を用いて、ＰＬＬとして動作させる。切替スイッチ８の切り替え時には、ループフィルタ３への電荷の充放電により、ループフィルタ３の出力電位が図２の矢印で示すように、ＶｂからＶａへと変化する。
【００３５】
このように、第１実施形態の周波数シンセサイザによれば、制御感度の異なる２つの制御電圧端子６、７と、位相差信号を２つの制御電圧端子６、７に選択的に入力する切替スイッチ８とを設け、引き込み過程では、制御感度の高い第１の制御電圧端子６を用いることによって、幅広い周波数範囲をカバーすることができる。また、位相ロック後は、制御感度の低い第２の制御電圧端子７を用いてＰＬＬとして動作させることにより、良好なＣ／Ｎ特性を安定して得ることができる。
【００３６】
（第２実施形態）
図３は、本発明の第２実施形態に係る周波数シンセサイザの構成を示すブロック図である。
【００３７】
第２実施形態の周波数シンセサイザは、切替スイッチ８と連動する電圧設定手段に相当するプリセット回路１１を備え、このプリセット回路１１が第２の制御電圧端子７に接続されている。その他の構成は第１実施形態と同様であり、図１に示す第１実施形態と同一の構成要素には同じ符号を用いて説明を省略する。
【００３８】
第２実施形態では、チャネルデータが分周器５に入力されてチャネルデータによりある周波数への位相ロックの要求がなされると、切替スイッチ８は第１実施形態と同様に第１の制御電圧端子６を選択するよう切り替える。このとき、第２の制御電圧端子７は、切替スイッチ８の切り替えに連動して内蔵スイッチがオンするプリセット回路１１によって所定の設定電位Ｖ０に固定される。ここで、設定電位Ｖ０は第２の制御電圧端子７に設定可能な電圧範囲の中心値とする。
【００３９】
次に、一定時間経過して位相ロックされた後に、切替スイッチ８が第２の制御電圧端子７を選択するのと連動して、プリセット回路１１は内蔵スイッチがオフされて開放される。
【００４０】
ＰＬＬ引き込み終了時には、第２の制御電圧端子７の制御電圧は常にＶ０であるので、温度変化に対するマージンを見込んだ場合においても第２の制御電圧端子７の制御感度を非常に低く設定することが可能となる。これにより、位相ロック後は、より良好なＣ／Ｎ特性を得ることができる。
【００４１】
また、第２実施形態では、プリセット回路１１がオープンになるタイミングを、切替スイッチ８が第１の制御電圧端子６から第２の制御電圧端子７に切り替えるタイミングから一定時間後としている。このため、切替スイッチ８によってループフィルタ３の出力の接続先が第１の制御電圧端子６から第２の制御電圧端子７へと切り替わった際に、ループフィルタ３の出力が強制的にＶ０に固定される。これにより、ループフィルタ３への電荷の充放電がなくなり、ロックアップタイムを更に短縮できる。
【００４２】
また、位相比較器２などにおいて、基準周波数発振器１の出力信号と分周器５の出力信号を比較して位相ロック状態を検出する位相ロック検出手段を備えることにより、位相ロック検出後、直ちに切替スイッチ８が切り替わるようにでき、より短い時間で良好なＣ／Ｎ特性を得ることが可能となる。
【００４３】
このように、第２実施形態の周波数シンセサイザによれば、引き込み過程では所定の設定電位のプリセット回路１１をＶＣＯ４の制御感度の低い第２の電圧制御端子７に接続し、位相ロック後は切替スイッチ８が電圧制御端子７に切り替えられてから一定時間後にプリセット回路１１の接続を開放することにより、ロックアップタイムを短縮できると共に、より短時間で良好なＣ／Ｎ特性を安定して得ることができる。
【００４４】
（第３実施形態）
図４は、本発明の第３実施形態に係る周波数シンセサイザの構成を示すブロック図である。
【００４５】
第３実施形態の周波数シンセサイザは、切替スイッチ８と連動してループフィルタ３の時定数を変更する時定数制御手段に相当する時定数制御回路１２を備えている。その他の構成は第１実施形態と同様であり、図１に示す第１実施形態と同一の構成要素には同じ符号を用いて説明を省略する。
【００４６】
第３実施形態では、時定数制御回路１２により、切替スイッチ８と連動して、ＰＬＬの引き込み動作時にはループフィルタ３の時定数が大きくなるよう変更する。これによって、ＰＬＬの負帰還ループの周波数帯域（以下、ループ帯域という）を広くすることができる。一方、位相ロック時には、ループフィルタ３の時定数が小さくなるように変更する。これにより、ループ帯域を狭くすることができる。したがって、ロックアップタイムをさらに短縮してより高速な位相ロック動作を可能にすると共に、より良好なＣ／Ｎ特性を得ることができる。
【００４７】
また、時定数制御回路１２の切り替えタイミングは、切替スイッチ８が第１の制御電圧端子６から第２の制御電圧端子７に切り替えるタイミングから一定時間後としている。これにより、切替スイッチ８により制御電圧端子を切り替えた際に発生するループフィルタ３への電荷の充放電を、短時間で収束させることができるため、ロックアップタイムを更に短縮することができる。
【００４８】
このように、第３実施形態の周波数シンセサイザによれば、ループフィルタ３の時定数を変更する時定数制御回路１２を設け、引き込み課程ではループ帯域を広く、位相ロック後はループ帯域を狭く設定することにより、ロックアップタイムを短縮できると共に、良好なＣ／Ｎ特性を安定して得ることができる。
【００４９】
（第４実施形態）
図５は、本発明の第４実施形態に係る周波数シンセサイザの構成を示すブロック図である。
【００５０】
第４実施形態の周波数シンセサイザは、時定数の大きなループフィルタ（第１のフィルタ）１３と、時定数の小さなループフィルタ（第２のフィルタ）１４とを備え、ループフィルタ１３が第１の制御電圧端子６に、ループフィルタ１４が第２の制御電圧端子７にそれぞれ接続されている。切替手段に相当する切替スイッチ８は、位相比較器２とループフィルタ１３、１４との間に設けられ、ループフィルタ１３及び第１の制御電圧端子６とループフィルタ１４及び第２の制御電圧端子７とを切り替えるようになっている。その他の構成は第１実施形態と同様であり、図１に示す第１実施形態と同一の構成要素には同じ符号を用いて説明を省略する。
【００５１】
第４実施形態では、チャネルデータによりある周波数への位相ロックの要求が入力されると、切替スイッチ８はループフィルタ１３を選択するよう切り替えを行い、ＶＣＯ４はループフィルタ１３によってＰＬＬ引き込み動作を行う。このとき、ループフィルタ１３の時定数が大きいので、ループ帯域を広く設定できる。
【００５２】
次いで、位相ロックした後、切替スイッチはをループフィルタ１４を選択するよう切り替えを行う。従って、時定数が小さいループフィルタ１４により、ループ帯域を狭く設定できる。
【００５３】
このように、第４実施形態の周波数シンセサイザによれば、切替スイッチ８によって時定数の異なる２つのループフィルタ１３，１４を切り替えることにより、ＰＬＬの引き込み動作時はループ帯域を広く、位相ロック時にはループ帯域を狭く設定して、ロックアップタイムをより短縮できると共に、良好なＣ／Ｎ特性を安定して得ることができる。
【００５４】
（第５実施形態）
図６は、本発明の第５実施形態に係る周波数シンセサイザの構成を示すブロック図である。
【００５５】
第５実施形態の周波数シンセサイザは、ループフィルタ３が第２の制御電圧端子７に直接接続されると共に、切替手段に相当する切替スイッチ１５を介して第１の制御電圧端子６に接続されている。切替スイッチ１５は、第１の制御電圧端子６をループフィルタ３の出力に接続するか否かを切り替えるようになっている。その他の構成は第１実施形態と同様であり、図１に示す第１実施形態と同一の構成要素には同じ符号を用いて説明を省略する。
【００５６】
第５実施形態では、チャネルデータによりある周波数への位相ロックの要求が入力されると、切替スイッチ１５がオンになり、ループフィルタ３の出力は第１及び第２の電圧制御端子６、７に接続される。この状態でＰＬＬ引き込み動作を行う。ＶＣＯ４は制御感度の高い第１の制御電圧端子６を用いてＰＬＬ動作を行うので、ロックアップタイムが短くなり、広い周波数範囲の発振が可能となる。
【００５７】
次いで、位相ロックした後、切替スイッチ１５はオフになり、第１の制御電圧端子６がオープンとなってループフィルタ３の出力は第２の電圧制御端子７のみに接続される。このとき、第１の制御電圧端子６の制御電圧Ｖｔ１と第２の制御電圧端子７の制御電圧Ｖｔ２とは等しくなり、ループフィルタ３への電荷の充放電がないので、ロックアップタイムが短縮する。以後、ＶＣＯ４は制御感度の低い第２の制御電圧端子７を用いてＰＬＬ動作を行う。この場合は安定したＣ／Ｎ特性が得られる。
【００５８】
このように、第５実施形態の周波数シンセサイザによれば、ＰＬＬ引き込み課程では制御感度が高い制御電圧端子を用い、位相ロック後は制御感度が低い制御電圧端子を用いることにより、幅広い周波数範囲をカバー可能なようにできると共に、位相ロック後に良好なＣ／Ｎ特性を得ることができる。
【００５９】
なお、本発明は上述した実施形態に何ら限定されるものではなく、その要旨を逸脱しない範囲において種々の態様で実施し得るものである。
【００６０】
上記の第１〜第５実施形態においては、２つのコンデンサ９、１０の容量は同一として構成したが、それぞれ異なる容量に適宜設定して構成することで、同様の機能を実現可能である。
【００６１】
また、コンデンサ９、１０に代えて、Ａ／Ｄ変換部、記憶部、Ｄ／Ａ変換部、及び切替回路を用いても同様の機能を実現できる。この場合、２つの制御電圧端子６、７に印加される制御電圧をディジタル値に変換するＡ／Ｄ変換部と、前記制御電圧のディジタル値を記憶する記憶部と、前記ディジタル値をアナログの制御電圧に変換するＤ／Ａ変換部と、前記Ａ／Ｄ変換部の入力及び前記Ｄ／Ａ変換部の出力の接続を切り替える切替回路とを設ければよい。
【００６２】
また、本実施形態に係る周波数シンセサイザは、移動体通信システムにおける移動無線装置（携帯通信装置）や無線基地局装置などに搭載することができる。この場合、小型かつ安価で、通信品質を良好に保つことが可能な無線通信装置を実現できる。
【００６３】
上述したように、本実施形態によれば、ＶＣＯに制御感度の異なる２つの制御電圧端子を設け、これらの制御電圧端子に対して位相差信号をＰＬＬ引き込み動作時と位相ロック後とで切り替えて出力する切替手段を設けることにより、広範な周波数範囲をカバーして周波数を出力可能であるとともに、良好なＣ／Ｎ特性を維持することが可能な周波数シンセサイザを提供できる。
【００６４】
また、本実施形態の周波数シンセサイザを移動体通信システムの移動無線装置や無線基地局装置などの無線通信装置に設けることにより、待ち受け時間が長く、小型かつ安価で、通信品質の良好な無線通信装置を得ることができる。
【００６５】
【発明の効果】
以上説明したように本発明によれば、広範な出力周波数範囲と良好なＣ／Ｎ特性を持つ周波数シンセサイザを提供することができる。
【図面の簡単な説明】
【図１】本発明の第１実施形態に係る周波数シンセサイザの構成を示すブロック図
【図２】第１実施形態に係る周波数シンセサイザのＶＣＯの周波数−制御電圧特性を示す特性図
【図３】本発明の第２実施形態に係る周波数シンセサイザの構成を示すブロック図
【図４】本発明の第３実施形態に係る周波数シンセサイザの構成を示すブロック図
【図５】本発明の第４実施形態に係る周波数シンセサイザの構成を示すブロック図
【図６】本発明の第５実施形態に係る周波数シンセサイザの構成を示すブロック図
【図７】従来技術による周波数シンセサイザの構成例を示すブロック図
【符号の説明】
１  基準周波数発振器
２  位相比較器
３、１３、１４  ループフィルタ
４  ＶＣＯ（電圧制御発振器）
５  分周器
６  第１の制御電圧端子
７  第２の制御電圧端子
８、１５  切替スイッチ
９、１０  コンデンサ
１１  プリセット回路
１２  時定数制御回路
【図１】
2004282223.tif 000003
【図２】
2004282223.tif 000004
【図３】
2004282223.tif 000005
【図４】
2004282223.tif 000006
【図５】
2004282223.tif 000007
【図６】
2004282223.tif 000008
【図７】
2004282223.tif 000009